【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
入賞球を検出すると入賞信号を出力する入賞球検出手段であって、設定されている賞球数が異なる入賞口への入賞球を識別可能に配置されている入賞検出手段と、
賞球を払い出す賞球払出装置と、
該賞球払出装置から排出される賞球を検出すると賞球検出信号を出力する賞球検出手段と、
前記入賞検出手段及び賞球検出手段からの信号に基づいて賞球の払出状況を監視する払出監視装置であって、
前記入賞信号及び賞球検出信号を取得する信号取得手段と、
該信号取得手段が取得した前記入賞信号に基づいて前記賞球払出装置による払出が未了の賞球数に相当する賞球データを加算演算し、該信号取得手段が取得した前記賞球検出信号に基づいて前記賞球データを減算演算する賞球データ演算手段と、
該賞球データを記憶する賞球データ記憶手段と、
前記賞球データの加算分に相当する払出要求を送出する払出要求手段と
を備える払出監視装置と、
該払出監視装置からの前記払出要求に従って前記賞球払出装置を稼働させる払出制御装置と
を備えており、
前記賞球監視装置は、賞球データが１以上あって前記賞球検出手段からの賞球検出信号が設定時間よりも長期にわたって入力されない場合に賞球不足として前記払出制御装置に賞球不足コマンドを送出し外部に報知するエラー処理を実行し、該賞球不足の原因が解消されたことを示すエラー解除信号の入力があると前記エラー処理を終了するエラー処理手段を備え、
前記払出制御装置は、賞球不足コマンドを受けるとリセットスイッチのオン入力があるまでは前記賞球払出装置の稼働を停止させ、前記リセットスイッチのオン入力があっても前記払出要求に関する記憶は消去しない
ことを特徴とする弾球遊技機。
【請求項２】
請求項１記載の弾球遊技機において、
前記払出要求は、前記設定されている賞球数を示す設定数データを含み、
前記払出制御装置は、前記払出要求を取得する毎に払出が未了の賞球数に相当する払出未了データを加算演算し、前記賞球検出手段からの賞球検出信号に基づいて前記払出未了データを減算する未了数演算手段と、前記払出未了データを記憶する未了データ記憶手段とを備える
ことを特徴とする弾球遊技機。
【請求項３】
請求項１または２記載の弾球遊技機において、
前記エラー解除信号は前記賞球検出信号であり、
前記払出要求に関する記憶は、払出が未了の賞球数に相当する払出未了データである
ことを特徴とする弾球遊技機。
【請求項４】
請求項１、２又は３記載の弾球遊技機において、
前記賞球監視装置は、賞球の過剰払出を認識すると前記賞球データ記憶手段に記憶されている前記賞球データをリセットする過剰時リセット手段を備える
ことを特徴とする弾球遊技機。
【請求項５】
請求項１ないし４のいずれか記載の弾球遊技機において、
前記賞球監視装置は、賞球の過剰払出の頻度が設定値を越えたときに過剰エラーと判定する過剰エラー判定手段を備える
ことを特徴とする弾球遊技機。
【手続補正２】
【補正対象書類名】明細書
【補正対象項目名】０００４
【補正方法】変更
【補正の内容】
【０００４】
【課題を解決するための手段および発明の効果】
上記課題を解決するための請求項１記載の弾球遊技機は、入賞球を検出すると入賞信号を出力する入賞球検出手段であって、設定されている賞球数が異なる入賞口への入賞球を識別可能に配置されている入賞検出手段と、賞球を払い出す賞球払出装置と、該賞球払出装置から排出される賞球を検出すると賞球検出信号を出力する賞球検出手段と、前記入賞検出手段及び賞球検出手段からの信号に基づいて賞球の払出状況を監視する払出監視装置であって、前記入賞信号及び賞球検出信号を取得する信号取得手段と、該信号取得手段が取得した前記入賞信号に基づいて前記賞球払出装置による払出が未了の賞球数に相当する賞球データを加算演算し、該信号取得手段が取得した前記賞球検出信号に基づいて前記賞球データを減算演算する賞球データ演算手段と、該賞球データを記憶する賞球データ記憶手段と、前記賞球データの加算分に相当する払出要求を送出する払出要求手段とを備える払出監視装置と、該払出監視装置からの前記払出要求に従って前記賞球払出装置を稼働させる払出制御装置とを備えており、
前記賞球監視装置は、賞球データが１以上あって前記賞球検出手段からの賞球検出信号が設定時間よりも長期にわたって入力されない場合に賞球不足として前記払出制御装置に賞球不足コマンドを送出し外部に報知するエラー処理を実行し、該賞球不足の原因が解消されたことを示すエラー解除信号の入力があると前記エラー処理を終了するエラー処理手段を備え、
前記払出制御装置は、賞球不足コマンドを受けるとリセットスイッチのオン入力があるまでは前記賞球払出装置の稼働を停止させ、前記リセットスイッチのオン入力があっても前記払出要求に関する記憶は消去しない
ことを特徴とする。
【手続補正３】
【補正対象書類名】明細書
【補正対象項目名】０００７
【補正方法】変更
【補正の内容】
【０００７】
そして、払出制御装置は、払出監視装置からの払出要求に従って賞球払出装置を稼働させる。
つまり、払出監視装置は、入賞信号と賞球検出信号とに基づいて賞球データを演算し、記憶し、払出要求を送出するだけでよいから、払出監視装置を遊技制御装置の一部としても、遊技制御装置の負担は軽い。
しかも、前記賞球監視装置は、賞球データが１以上あって前記賞球検出手段からの賞球検出信号が設定時間よりも長期にわたって入力されない場合に賞球不足として前記払出制御装置に賞球不足コマンドを送出し外部に報知するエラー処理を実行し、該賞球不足の原因が解消されたことを示すエラー解除信号の入力があると前記エラー処理を終了するエラー処理手段を備え、前記払出制御装置は、賞球不足コマンドを受けるとリセットスイッチのオン入力があるまでは前記賞球払出装置の稼働を停止させ、前記リセットスイッチのオン入力があっても前記払出要求に関する記憶は消去しない構成であるので、例えば賞球払出装置の故障、球詰まり、補給遅れ等で賞球の払出が完了されないときには、賞球不足コマンドを払出制御装置に送ってエラー状態にあることを知らせ、また外部に報知するエラー処理を実行でき、エラーのリセットによっても払出要求に関する記憶は維持されるから遊技者が損をすることもない。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
請求項３記載の弾球遊技機は、請求項１又は２記載の弾球遊技機において、前記エラー解除信号は前記賞球検出信号であるからエラー解除信号を生成するための手段は特に必要としないし、前記払出要求に関する記憶は払出が未了の賞球数に相当する払出未了データであるから、賞球の不足数を正確に把握でき、リセット後に正確に不足分を払い出せる。
【手続補正７】
【補正対象書類名】明細書
【補正対象項目名】００１４
【補正方法】変更
【補正の内容】
【００１４】
請求項４記載の弾球遊技機は、請求項１、２又は３記載の弾球遊技機において、前記賞球監視装置は、賞球の過剰払出を認識すると前記賞球データ記憶手段に記憶されている前記賞球データをリセットする過剰時リセット手段を備えるので、賞球の過剰払出によるデータの混乱を回避できる。
【手続補正８】
【補正対象書類名】明細書
【補正対象項目名】００１５
【補正方法】変更
【補正の内容】
【００１５】
請求項５記載の弾球遊技機は、請求項１ないし４のいずれか記載の弾球遊技機において、前記賞球監視装置は、賞球の過剰払出の頻度が設定値を越えたときに過剰エラーと判定する過剰エラー判定手段を備える。賞球の過剰払出の頻度が許容できる頻度なら（例えば１日当たり数回なら）、いちいちエラー処理を行わないほうが弾球遊技機の稼働率を低下させないメリットがある。